(57)【要約】【課題】光ディスク装置で偏重心ディスクを回転した場合の振動抑制のためにトラバースユニットに動吸振器を構成する場合、部品点数の増加と高さ方向の設計的な制約が生じていた。【解決手段】スピンドルモータ１２、光ヘッド１４、ガイド軸１６及びメインベース１３を含むトラバースユニット１１の上昇動作で、光ディスク１０を載置したトレイ５０が装置１００にローディングされたとき、サブダンパＡ１９を介してトレイ５０を浮上支持することで、トレイ５０を動吸振器のカウンターウェイトと兼用する。【選択図】図１Ａ
2006252632.tif 000002
【特許請求の範囲】
【請求項１】
光ディスクを回転させるスピンドルモータと、
装置上部に回転自在に保持されるクランパと、
前記光ディスクのデータ記録面にレーザ光を照射し、データの記録再生を行う光ピックアップと、
前記スピンドルモータと前記光ピックアップとを保持するメインベースと、
前記トラバースベースを弾性的に支持するメインダンパと、
前記光ディスクを上面に載置し、光ディスク装置内にローディング動作およびイジェクト動作を行うトレイと、
前記トレイの前記ローディング動作および前記イジェクト動作を実現するローディング駆動手段と、
前記メインベースの上下動作を実現する昇降手段と、
前記トレイを前記メインベース対して弾性的に支持する第１のサブダンパとを有し、
前記トレイはローディング完了後に、前記メインベースの上昇動作で前記第１のサブダンパだけを介して上方向に浮上支持される時、ほぼ同時に前記光ディスクは前記スピンドルモータによって前記トレイから浮上し、前記クランパによって前記スピンドルモータにチャッキングされることを特徴とする光ディスク装置の振動低減機構。
【請求項２】
光ディスク装置の最高回転数において、前記トレイが弾性的に浮上支持された状態で、前記トレイの共振が前記第１のサブダンパによって生じるように設定されていることを特徴とする請求項１記載の光ディスク装置の振動低減機構。
【請求項３】
前記トレイが第１のサブダンパを介してメインベースに浮上支持された際に、前記光ディスク装置上面に設けられた第２のサブダンパによって前記トレイを上面から押圧され、
前記トレイが前記第１のサブダンパと前記第２のサブダンパとによって上下から弾性的に支持されることを特徴とする請求項１または２何れかに記載の光ディスク装置の振動低減機構。
【請求項４】
前記トレイにはカートリッジの位置決め手段と、カートリッジのシャッター開閉手段を有し、
前記光ディスク装置上面には第３のサブダンパが設けられ、
前記トレイのイジェクト動作完了後に、前記カートリッジ位置決め手段で前記トレイに位置決めされた光ディスクを内包する前記カートリッジは、前記トレイのローディング動作中に前記シャッター開閉手段で前記カートリッジのシャッターは開放され、ローディング完了後に前記トレイは下面から前記第１のサブダンパを介して弾性的に浮上支持される際に、前記第３のサブダンパは、前記カートリッジの上面を押圧し、前記カートリッジが位置決めされた前記トレイを上下から弾性的に浮上支持し、カートリッジに内包されない光ディスクをローディングした場合には、前記第３のサブダンパはトレイを押圧しないことを特徴とする請求項１または２何れかに記載の光ディスク装置の振動低減機構。
【請求項５】
光ディスク装置の最高回転数において、光ディスクを内包するカートリッジを載置した前記トレイが弾性的に浮上支持された状態で、前記トレイの共振が前記第１のサブダンパと前記第３のサブダンパとによって生じるように設定され、カートリッジに内包されないディスクの場合には、前記トレイが弾性的に浮上支持された状態で、前記トレイの共振が前記第１のサブダンパによって生じるように設定されていることを特徴とする請求項４記載の光ディスク装置の振動低減機構。
【請求項６】
前記第１のサブダンパおよび前記第２のサブダンパは、前記トレイの支持面に向かって直径が小さくなるテーパ状の円錐台形状であり、
前記トレイには、前記第１のサブダンパおよび前記第２のサブダンパに向かって直径が大きくなるカップ状の位置決め穴が設けられ、
前記メインベースの上昇動作で、前記第１のサブダンパおよび前記第２のサブダンパが前記位置決め穴に挿入されることを特徴とする請求項１から５何れかに記載の光ディスク装置の振動低減機構。
【発明の詳細な説明】
【技術分野】
【０００１】
本発明は、ＣＤ、ＤＶＤおよびＢＤディスクなど光ディスクの記録再生を行う装置に関するものである。
【背景技術】
【０００２】
従来の光ディスク装置の振動低減機構としては、例えば特許文献１に記載されている動吸振器と称される機構があった。図９に振動低減機構である動吸振器を搭載した従来の光ディスク装置の側面断面図を示す。
【０００３】
光ディスク１０を回転するスピンドルモータの回転に追従するターンテーブル１２と、光ディスク１０のデータ記録面にレーザを照射する光ピックアップ１４とを保持するメインベース１３の上に、サブベース１７がサブダンパ１９で支持されている。サブベース１７およびサブダンパ１９の脱落防止のため、サブダンパ１９は中空で空洞部に固定用の段付きネジが挿入されメインベース１３に対して固定されている。
【特許文献１】特開平１１−３０６７４７号公報
【発明の開示】
【発明が解決しようとする課題】
【０００４】
しかしながら、従来の光ディスク装置の振動低減機構では、サブベース１７をメインベース１３で支持し、その上にトレイ５０をローディングするため光ディスク装置の高さが高くなり、上下方向の配置に制約が生じていた。また、サブベース１７の材料代がコストの増加要因となっていた。
【０００５】
本発明は、係る従来の課題に鑑み、装置高さを抑制すると共に材料コストを低減することで装置を安価に提供することを目的とする。
【課題を解決するための手段】
【０００６】
上記の課題を解決するために、本発明の光ディスク装置の振動低減機構は、光ディスクを回転させるスピンドルモータと、装置上部に回転自在に保持されるクランパと、前記光ディスクのデータ記録面にレーザ光を照射し、データの記録再生を行う光ピックアップと、前記スピンドルモータと前記光ピックアップとを保持するメインベースと、前記トラバースベースを弾性的に支持するメインダンパと、前記光ディスクを上面に載置し、光ディスク装置内にローディング動作およびイジェクト動作を行うトレイと、前記トレイの前記ローディング動作および前記イジェクト動作を実現するローディング駆動手段と、前記メインベースの上下動作を実現する昇降手段と、前記トレイを前記メインベース対して弾性的に支持する第１のサブダンパとを有し、前記トレイはローディング完了後に、前記メインベースの上昇動作で前記第１のサブダンパだけを介して上方向に浮上支持される時、ほぼ同時に前記光ディスクは前記スピンドルモータによって前記トレイから浮上し、前記クランパによって前記スピンドルモータにチャッキングされる構成を有する。このため、偏重心を有する光ディスクを高速で回転した場合に発生する振動を低減する動吸振器を、専用のカウンタバランスを設けることなくトレイが兼用することで、部品点数を削減し、コストダウンと光ディスク装置の薄型化を可能とする。
【０００７】
また、本発明の光ディスク装置の振動低減機構は、上記構成において、光ディスク装置の最高回転数において、前記トレイが弾性的に浮上支持された状態で、前記トレイの共振が前記第１のサブダンパによって生じるように設定する構成を有する。このため、動吸振器を振動エネルギーが最大となる光ディスクの最高回転数で、最も効果的に機能させることが可能となる。
【０００８】
また、本発明の光ディスク装置の振動低減機構は、上記何れかの構成において、前記トレイが第１のサブダンパを介してメインベースに浮上支持された際に、前記光ディスク装置上面に設けられた第２のサブダンパによって前記トレイを上面から押圧され、前記トレイが前記第１のサブダンパと前記第２のサブダンパとによって上下から弾性的に支持される構成を有する。このため、動吸振器のカウンタバランスであるトレイの保持状態を確実なものとし、トレイが第１のサブダンパによる浮上支持だけでは光ディスク回転中に光ディスク装置に対して外部から衝撃振動が与えられた場合にトレイが上下にばたつきディスクや光ディスク装置内面と接触するような不具合を回避することが可能となる。
【０００９】
また、本発明の光ディスク装置の振動低減機構は、上記何れかの構成において、前記トレイにはカートリッジの位置決め手段と、カートリッジのシャッター開閉手段を有し、前記光ディスク装置上面には第３のサブダンパが設けられ、前記トレイのイジェクト動作完了後に、前記カートリッジ位置決め手段で前記トレイに位置決めされた光ディスクを内包する前記カートリッジは、前記トレイのローディング動作中に前記シャッター開閉手段で前記カートリッジのシャッターは開放され、ローディング完了後に前記トレイは下面から前記第１のサブダンパを介して弾性的に浮上支持される際に、前記第３のサブダンパは、前記カートリッジの上面を押圧し、前記カートリッジが位置決めされた前記トレイを上下から弾性的に浮上支持し、カートリッジに内包されない光ディスクをローディングした場合には、前記第３のサブダンパはトレイを押圧しない構成を有する。このため、カートリッジに内包されたディスクを光ディスク装置で記録再生を実施する際にも、動吸振器のカウンタバランスをトレイとカートリッジが兼用することで、部品点数を削減し、コストダウンと光ディスク装置の薄型化を可能とする。
【００１０】
また、本発明の光ディスク装置の振動低減機構は、上記構成において、光ディスク装置の最高回転数において、光ディスクを内包するカートリッジを載置した前記トレイが弾性的に浮上支持された状態で、前記トレイの共振が前記第１のサブダンパと前記第３のサブダンパとによって生じるように設定され、カートリッジに内包されないディスクの場合には、前記トレイが弾性的に浮上支持された状態で、前記トレイの共振が前記第１のサブダンパによって生じるように設定する構成を有する。このため、光ディスクの形態がカートリッジの有無に関わらず、動吸振器を振動エネルギーが最大となる光ディスクの最高回転数で最も効果的に機能させることが可能となる。
【００１１】
また、本発明の光ディスク装置の振動低減機構は、上記何れかの構成において、前記第１のサブダンパおよび前記第２のサブダンパは、前記トレイの支持面に向かって直径が小さくなるテーパ状の円錐台形状であり、前記トレイには、前記第１のサブダンパおよび前記第２のサブダンパに向かって直径が大きくなるカップ状の位置決め穴が設けられ、前記メインベースの上昇動作で、前記第１のサブダンパおよび前記第２のサブダンパが前記位置決め穴に挿入される構成を有する。このため、第１のサブダンパおよび第２のサブダンパのテーパがトレイの上下面のカップに挿入されることで、カートリッジが位置決めされたトレイとメインベースとが正確に水平方向に位置決めされる。その結果ディスクとカートリッジ内壁との接触を回避することが可能となる。
【発明の効果】
【００１２】
本発明の光ディスク装置の振動低減機構は上記構成を有し、偏重心の大きい光ディスクを高速で回転させて、記録または再生を実施する際に光ディスク装置に発生する振動を低減する動吸振器機構を光ディスク装置に搭載するに際して、従来の光ディスク装置では必須の部材であるカウンターウェイトがトレイと兼用されることで、部品点数を削減できる効果がある。その結果、コストダウンと光ディスク装置の薄型化実現が容易になる。
【発明を実施するための最良の形態】
【００１３】
以下、本発明の光ディスク装置の振動低減機構に関する好ましい実施形態を、図面を参照しながら説明する。
【００１４】
（実施の形態１）
本発明の光ディスク装置の振動低減機構の一実施形態について、図１及び図２を用いて説明する。図１Ａ、図１Ｂ及び図１Ｃは、本実施形態における振動低減機構を説明する要部側面断面図であり、動吸振器のカウンターウェイトを光ディスクを載置してローディング動作（搬入）およびイジェクト動作（搬出）を行うトレイと兼用した場合を示し、図２は、トラバースユニットに支持されたサブダンパとトレイ係合部との構成を示す部分断面図であり、共に１００は光ディスク装置の本体、５０は光ディスク装置１００に対して光ディスクをローディング動作（搬入）およびイジェクト動作（搬出）するために載置するトレイ、１０は光ディスク、１２は光ディスク１０を回転させるスピンドルモータ、１３はスピンドルモータ１２を支持するメインベース、１４はディスク１０のデータの記録再生を行う光ピックアップ、１６は光ピックアップ１４をディスク１０の半径方向に移動を案内するガイド軸、１１はメインベース１３にスピンドルモータ１２、光ピックアップ１４及びガイド軸１６などが一体に支持されたトラバースユニット、１８はトラバースユニット１１を弾性的に支持し光ディスク装置外部からの振動を遮断するメインダンパである。またメインベース１３の上にはトレイ５０をローディング動作後に弾性的に浮上支持するサブダンパＡ１９が支持されている。トレイ５０をローディング動作およびイジェクト動作するためのローディング駆動手段、トラバースユニット１１を上下駆動するための昇降手段、光ピックアップをガイド軸１６の案内で光ディスク１０の半径方向に駆動するトラバース駆動手段は図示を省略している。
【００１５】
図１Ａでは、光ディスク１０を載置するためトレイ５０が、光ディスク装置１００の前面開口からイジェクトされた状態である。この時、トラバースユニット１１は、光ディスク装置１００内でトレイ５０のイジェクト動作を妨げないように、下方に待避している。
【００１６】
図１Ｂでは、光ディスク１０を載置したトレイ５０が、光ディスク装置１００の終端まで完全にローディングされる直前の状態である。この時においても、トラバースユニット１１は光ディスク装置１００内で下方に待避した状態を保っている。トレイ５０のローディング完了後、トラバースユニット１１は図示を省略したトラバースユニットの昇降手段によって、トレイ５０を押し上げる方向に上昇する。なお、トレイ５０のローディング動作およびイジェクト動作に伴い、光ディスク装置１００に対してトレイ５０を前後方向にガイドするレールの図示は省略している。
【００１７】
図１Ｃでは、トラバースユニット１１上に支持されたサブダンパＡ１９は、光ディスク１０を載置したトレイ５０を上方へ押上げ浮上支持する。同時にスピンドルモータ１２はトレイ５０に載置された光ディスク１０をトレイ５０から浮上支持する。合わせて上方からクランパ２３が、光ディスク１０をスピンドルモータ１２に対してクランプ（固定）する。この時トレイ５０は、光ディスク装置１００に設けられたトレイのガイドとの係合から解放され、サブダンパＡ１９だけで浮上支持された状態となる。
【００１８】
スピンドルモータ１２にクランプされた光ディスク１０は、図示を省略したコントローラからの指令で回転し、光ピックアップ１４によって光ディスク１０裏面のデータを再生およびデータの記録を行う。光ディスク１０の基板は透明な樹脂ディスクの貼り合わせで製造されるのが一般的であるが、基板成型時の厚さのバラツキによってアンバランスが発生する。光ディスク１０を高速で回転した場合、通常トラバースユニット１１に激しい振動が発生する。この振動によって、光ディスク１０のデータの再生および記録の障害、光ディスク装置１００の外部への振動および騒音の原因となる。
【００１９】
光ディスク１０のアンバランスによる振動を解消するため、サブダンパＡ１９によって弾性的に浮上支持されるトレイ５０が、動吸振器のカウンタウェイトとしてトラバースユニット１１の振動方向と逆方向に振動し、トラバースユニット１１、光ディスク１０、光ピックアップ１４および光ディスク装置１００に発生する振動を低減する。
【００２０】
図２を用いて、トレイ５０とサブダンパＡ１９との係合について詳細に説明する。図２（ａ）では、トラバースユニット１１が下方に待避している状態で、トレイ５０とサブダンパＡ１９は係合していない。トレイ５０の下面にはカップ形状のサブダンパ係合部３０が設けられている。
【００２１】
図２（ｂ）では、トラバースユニット１１が上昇し、ディスクをクランプしている状態で、サブダンパＡ１９とサブダンパ係合部３１とは隙間のない状態で係合してる。サブダンパＡ１９およびトレイ５０下面のサブダンパ係合部３０は、共に円錐台の形状を有している。この形状を有することで、サブダンパＡ１９とサブダンパ係合部３０とが仮に水平方向に多少の位置ズレが生じていても、容易に係合することが可能となる。また、サブダンパＡ１９とサブダンパ係合部３０との係合完了後のガタ付きが生じない。併せて、トレイ５０をイジェクトする前にトラバースユニット１１の下降する時、サブダンパＡ１９とサブダンパ係合部３０との係合関係は容易に解放することが可能となる。
【００２２】
メインダンパ１８およびサブダンパＡ１９は、メインベース１３上にそれぞれ３個以上支持され、トラバースユニット１１およびトレイ５０の姿勢が不安定となることを防止している。メインダンパ１８およびサブダンパＡ１９は、シリコンゴムなどの化学的に安定した材料で成形されたものを使用する。なお、メインダンパ１８およびサブダンパＡ１９に用いられる材料はシリコンゴムに限定されるものではなく、ブチルゴム、クロロプレンゴム、ＥＰＤＭなどのゴムを使用しても同等の効果を得ることができる。なお、メインダンパ１８およびサブダンパＡ１９は、単一のゴム材料だけでなくゴム材料と金属バネまたは樹脂バネとの複合であっても同等の効果を得ることができる。
【００２３】
なお、サブダンパＡ１９は図２において中実形状で示しているが、使用するゴム硬度およびトレイ５０の重量および動吸振器として効果を得たい光ディスク１０の回転数に応じて、中空形状としても同等の効果を得ることができる。
【００２４】
（実施の形態２）
本発明の別の実施形態について図３Ａ、図３Ｂ、図３Ｃ及び図４を用いて説明する。図３Ａ、図３Ｂ及び図３Ｃは、本発明実施の形態における振動低減機構の動吸振器のカウンターウェイトをトレイと兼用した場合の光ディスク装置の側面断面図で、図４は、トラバースユニットに支持されたサブダンパとトレイ係合部を示す部分断面図である。
【００２５】
本実施形態の光ディスク装置は、トラバースユニット１１の昇降手段と待避状態とが実施の形態１と異なる場合、すなわち実施の形態１ではトラバースユニット１１が垂直に上下していたが、本実施形態ではトラバースユニット１１は図示を省略したトラバースユニット昇降手段によって、前側だけが下方へ待避しトレイ５０との干渉を回避する構成となっている。その他の構成は実施の形態１と同様である。
【００２６】
図３Ａでは、トラバ−スユニット１１のスピンドルモータ１２の支持される前側が下方に大きく待避し、後側は下方への待避は小さい。このようなトラバースユニット１１の待避状態でも、トレイのローディング動作およびイジェクト動作の妨げになることはない。
【００２７】
図３Ｂでは、光ディスク１０を載置したトレイ５０が、光ディスク装置１００の終端まで完全にローディングされる直前の状態である。図４Ａ（ａ）に示すように、サブダンパＡ１９とトレイ５０のサブダンパ係合部３０は前側では実施の形態１と同様に大きく待避しているのでサブダンパ係合部３０は完全なカップ形状を有しており、後側では同図（ｂ）に示すようにトラバースユニット１１の下方への待避が小さくても、サブダンパＢ１９がトレイ５０のローディング動作の妨げとならないようにサブダンパ係合部Ｂ３１は後側の壁がカットされたカップ形状を有している。  図４Ｂ（ａ）及び（ｂ）はトラバースユニット１１が上昇しディスクをクランプしている状態で、サブダンパＡ１９とサブダンパ係合部３０、およびサブダンパＢ２０とサブダンパ係合部３１は隙間のない状態で係合してる。
【００２８】
図３Ｃでは、トラバースユニット１１上に支持されたサブダンパＡ１９は、光ディスク１０の載置されたトレイ５０を上方へ押上げ浮上支持する。同時にスピンドルモータ１２はトレイ５０に載置された光ディスク１０をトレイ５０から浮上支持する。合わせて上方からクランパ２３が光ディスク１０をスピンドルモータ１２に対してクランプ（固定）する。この時トレイ５０は光ディスク装置１００に設けられたトレイのガイドとの係合から解放されサブダンパＡ１９だけで浮上支持された状態となる。以下の動作は、実施の形態１と同様であるため省略する。
（実施の形態３）
本発明の他の実施形態について図５Ａ、図５Ｂ、図５Ｃ、図６及び図７を用いて説明する。図５Ａ、図５Ｂ及び図５Ｃは、本実施形態における振動低減機構である動吸振器のカウンターウェイトを、カートリッジ搭載が可能なトレイと兼用した場合の光ディスク装置の側面断面図、図６は、光ディスク装置のトレイ平面図と裏面図、図７は、カートリッジ搭載時の光ディスク装置のトレイ平面図である。
【００２９】
図６（ａ）に、トレイ５０の平面図を示す。トレイ５０の上面にはディスクを内包したカートリッジ４１（図５参照）を載置するためのトレイ５０上の平面なカートリッジ載置面５１と、カートリッジ載置面５１より下側に大径のディスクが載置可能なディスク載置面Ａ５２および小径のディスクが載置可能なディスク載置面Ｂ５３が形成されている。
【００３０】
トレイ５０の前側にはカートリッジ４１の位置決め穴４３と係合する位置決めピン５５の突起が左右各１個設けられている。位置決め穴４３を介してカートリッジ４１をトレイ５０の位置決めピン５５に位置決めすることで、カートリッジ４１の内壁と光ディスク１０が接触することと、トレイ５０に対してカートリッジ４１が振動などで衝突音が発生することを防止する。図６（ｂ）に、トレイ５０のを裏面図を示す。トレイ５０の裏面にはサブダンパ係合部３０が４カ所に設けられている。
【００３１】
図７（ａ）に、トレイ５０に載置されたのカートリッジ４１のシャッター４２閉鎖時の平面図を示す。シャッター４２を解放するためトレイ５０には、シャッターオープナー５６が設けられている。シャッターオープナー５６はシャッター４２と係合している。シャッターオープナー５６の上には回転自在なオープナーローラー５７が設けられており、光ディスク装置１００の外装の上面にシャッターオープナー５６を左右に駆動する図示を省略したガイドカムと係合している。ガイドカムの形状はトレイ５０のローディング動作時にはシャッター４２を開放し、イジェクト動作持にはシャッター４２を閉鎖するカム形状を有している。シャッターオープナー５６にはオープナースプリング５８が設けられ、常時シャッター４２を解放する方向に引張り力が働いている。
【００３２】
図７（ｂ）に、トレイ５０に載置されたのカートリッジ４１のシャッター４２開放時の平面図を示す。トレイ５０がローディング動作を完了した場合、オープナースプリング５８によって、シャッターオープナー５６はガイドカムに沿って移動するることでシャッター４２を開放する。この時、ガイドカムとシャッターオープナー５６の係合が離れても、オープナースプリング５８の引張り力でシャッター４２の解放状態を保つことが可能となっている。
【００３３】
図５Ａでは、トレイ５０上に設けられた位置決めピン５５に位置決め穴４３を係合させながらカートリッジ４１を載置し、トレイ５０を押し込むか図示を省略したローディング／イジェクトスイッチを押すと、トレイ５０はカートリッジ４１を保持したまま光ディスク装置内１００にローディングされる。カートリッジ４１に内包されることで光ディスク１０は、記録面にほこりや指紋の付着することから回避することが可能となる。データの記録および再生を行うために光ディスク装置１００にローディングされた時、カートリッジ４１中央部のシャッター４２を解放してディスク１０を露出させる。
【００３４】
図５Ｂでは、ディスク１０を内包するカートリッジ４０の載置されたトレイ５０が、光ディスク装置１００の終端まで完全にローディングされる直前の状態である。トレイ５０がローディング動作を完了させる直前にカイドカムの案内はなくなり、オープナーローラー５７はオープナースプリング５８の引張り力だけでシャッター４２の開放状態を維持している。この時には、トラバースユニット１１は光ディスク装置１００内で下方に待避した状態を保っている。トレイ５０のローディング完了後、トラバースユニット１１は図示を省略したトラバースユニットの昇降手段によって、トレイ５０を押し上げる方向に上昇する。トレイ５０のローディング動作およびイジェクト動作に伴い、光ディスク装置１００に対してトレイ５０を前後方向にガイドするレールの図示は省略している。
【００３５】
図５Ｃでは、トラバースユニット１１上に支持されたサブダンパＡ１９は、光ディスク１０の載置されたトレイ５０を上方へ押上げ浮上支持する。光ディスク装置１００の内側の天井面にはサブダンパＣ２１が設けられており、トレイ５０と一体的に浮上支持されたカートリッジ４１の上面を押圧する。この時トレイ５０は光ディスク装置１００に設けられたトレイのガイドとの係合から解放されサブダンパＡ１９とサブダンパＣ２１だけで浮上支持された状態となる。なお、図５Ｂに示したように、トレイ５０にカートリッジ４１が載置されていない場合、サブダンパＣ２１はトレイ５０を押圧することなく、トレイ５０はサブダンパＡ１９だけで浮上支持される。
【００３６】
トレイ５０の浮上支持と同時にスピンドルモータ１２は、カートリッジ４１に内包された光ディスク１０をカートリッジ４１内で浮上支持する。合わせて上方からクランパ２３が光ディスク１０をスピンドルモータ１２に対してクランプ（固定）する。
【００３７】
光ディスク１０のアンバランスによる振動を解消するため、サブダンパＡ１９とサブダンパＣ２１によって弾性的に浮上支持されるトレイ５０およびカートリッジ４１が、動吸振器のカウンタウェイトとしてトラバースユニット１１の振動方向と逆方向とに振動し、トラバースユニット１１、光ディスク１０、光ピックアップ１４および光ディスク装置１００に発生する振動を低減する。
【００３８】
サブダンパＣ２１は円柱の形状を有している。この形状を有することで、カートリッジ４１上面に対して安定した接触状態を保つことが可能となる。なおサブダンパＣ２１は図５において円柱形状で示しているが、使用するゴム硬度およびトレイ５０の重量および動吸振器として効果を得たい光ディスク１０の回転数に応じて、角柱または円錐台形状としても同等の効果を得ることができる。
【００３９】
サブダンパＣ２１はシリコンゴムなどの化学的に安定した材料で成形されたものを使用する。なおサブダンパＣ２１に用いられる材料は、メインダンパ１８およびサブダンパＡ１９と同様にシリコンゴムに限定されるものではなく、ブチルゴム、クロロプレンゴム、ＥＰＤＭなどのゴムを使用しても同等の効果を得ることができる。なお、サブダンパＣ２１は、単一のゴム材料だけでなくゴム材料と金属バネまたは樹脂バネとの複合であっても同等の効果を得ることができる。
【００４０】
なお、カートリッジ４１が載置されていない場合、トレイ５０はサブダンパＡ１９だけでトレイ５０を浮上支持し、動吸振器のカウンタウェイトとしてトラバースユニット１１の振動方向と逆方向に振動しトラバースユニット１１、光ディスク１０、光ピックアップ１４および光ディスク装置１００に発生する振動を低減する。
【００４１】
カートリッジ４１の有無でサブダンパＣ２１によるトレイ５０の支持形態を変更する理由は、第１に、動吸振器のカウンターウェイトとしてトレイ５０が振動した場合、トレイ５０に対してカートリッジ４１の水平方向および垂直方向の振動が発生しトレイとの間で衝突音が発生することを防止するためである。第２に、カートリッジ４１の有無によってサブダンパＡ１９で浮上支持されたトレイ５０の重量が変化することで、サブダンパＡ１９の共振周波数が変化し、トレイ５０の振動による動吸振器の性能低下を防止するためである。もう少し詳細に説明すれば、カートリッジ４１の重量増加分によるサブダンパＡ１９の共振周波数の低下をサブダンパＣ２１の補助によって防止し、カートリッジ４１のない場合と同一の共振周波数でトレイ５０とカートリッジ４１が共振する構成を提供するものである。
（実施の形態４）
本発明の別の実施形態について図８Ａ、図８Ｂ及び、図８Ｃを用いて説明する。図８Ａ、図８Ｂ及び図８Ｃは、本実施形態における振動低減機構である動吸振器のカウンターウェイトを、カートリッジ搭載が可能なトレイと兼用した場合の光ディスク装置の側面断面図である。本実施形態は、トラバースユニット１１の昇降手段と待避状態が実施の形態３と異なる場合である。すなわち、実施の形態３ではトラバースユニット１１が垂直に上下していたが、本実施形態ではトラバースユニット１１は図示を省略したトラバースユニット昇降手段によって、前側だけが下方へ待避しトレイ５０との干渉を回避する構成となっている。その他の構成及び動作は実施の形態３と同様であるため省略する。
【００４２】
また、サブダンパＡ１９とサブダンパ係合部３０およびサブダンパＢ２０とサブダンパ係合部Ｂ３１の形状および動作は実施の形態２と同等であるため省略する。
【産業上の利用可能性】
【００４３】
本発明の光ディスク装置の振動低減機構は、偏重心の大きい光ディスクを高速で回転させ記録再生を実施する際の光ディスク装置に発生する振動を低減する機構において部品点数の削減と光ディスク装置の薄型化実現に有用である。
【図面の簡単な説明】
【００４４】
【図１Ａ】本発明の光ディスク装置の一実施形態におけるローディング前の側面断面図
【図１Ｂ】同実施形態におけるローディング完了時の側面断面図
【図１Ｃ】同実施形態におけるチャッキング完了時の側面断面図
【図２】（ａ）は同実施形態におけるサブダンパとトレイとの係合前を示す部分断面図、（ｂ）はサブダンパとトレイとの係合後を示す部分断面図
【図３Ａ】本発明の光ディスク装置の他の実施形態におけるローディング前の側面断面図
【図３Ｂ】同実施形態におけるローディング完了時の側面断面図
【図３Ｃ】同実施形態におけるチャッキング完了時の側面断面図
【図４Ａ】（ａ）は同実施形態における前側のサブダンパとトレイとの係合前を示す部分断面図、（ｂ）は後側のサブダンパとトレイとの係合前を示す部分断面図
【図４Ｂ】（ａ）は同実施形態における前側のサブダンパとトレイとの係合後を示す部分断面図、（ｂ）は後側のサブダンパとトレイとの係合後を示す部分断面図
【図５Ａ】本発明の光ディスク装置の別の実施形態におけるローディング前の側面断面図
【図５Ｂ】同実施形態におけるローディング完了時の側面断面図
【図５Ｃ】同実施形態におけるチャッキング完了時の側面断面図
【図６】（ａ）は同実施形態における光ディスク装置のトレイ平面図、（ｂ）はトレイ裏面図
【図７】（ａ）は同実施形態におけるシャッタ閉塞時のトレイ平面図、（ｂ）はシャッタ開放時のトレイ平面図
【図８Ａ】本発明の光ディスク装置の他の実施形態におけるローディング前の側面断面図
【図８Ｂ】同実施形態におけるローディング完了時の側面断面図
【図８Ｃ】同実施形態におけるチャッキング完了時の側面断面図
【図９Ａ】従来の光ディスク装置におけるローディング前の側面断面図
【図９Ｂ】同光ディスク装置におけるローディング完了時の側面断面図
【図９Ｃ】同光ディスク装置におけるチャッキング完了時の側面断面図
【符号の説明】
【００４５】
１０  光ディスク
１１  トラバースユニット
１２  スピンドルモータ
１３  メインベース
１４  光ピック
１６  ガイド軸
１８  メインダンパ
１９  サブダンパＡ
２０  サブダンパＢ
２２  中間シャーシ
２３  クランパ
３０  サブダンパ係合部
３１  サブダンパ係合部Ｂ
４１  カートリッジ
４２  シャッター
４３  位置決め穴
５０  トレイ
５１  カートリッジ載置面
５２  ディスク載置面Ａ
５３  ディスク載置面Ｂ
５４  開口部
５５  位置決めピン
５６  シャッターオープナー
５７  オープナーローラー
５８  オープナースプリング
１００  光ディスク装置
【図１Ａ】
2006252632.tif 000003
【図１Ｂ】
2006252632.tif 000004
【図１Ｃ】
2006252632.tif 000005
【図２】
2006252632.tif 000006
【図３Ａ】
2006252632.tif 000007
【図３Ｂ】
2006252632.tif 000008
【図３Ｃ】
2006252632.tif 000009
【図４Ａ】
2006252632.tif 000010
【図４Ｂ】
2006252632.tif 000011
【図５Ａ】
2006252632.tif 000012
【図５Ｂ】
2006252632.tif 000013
【図５Ｃ】
2006252632.tif 000014
【図６】
2006252632.tif 000015
【図７】
2006252632.tif 000016
【図８Ａ】
2006252632.tif 000017
【図８Ｂ】
2006252632.tif 000018
【図８Ｃ】
2006252632.tif 000019
【図９Ａ】
2006252632.tif 000020
【図９Ｂ】
2006252632.tif 000021
【図９Ｃ】
2006252632.tif 000022